(57)【要約】【課題】本願は、店舗が国内にある金融機関の口座を、外国から来訪する外国人が容易に利用可能にする技術を提供することを課題とする。【解決手段】所定の地域で口座の預金が使用可能な金融機関が用いる情報処理装置であって、所定の地域へ渡航予定の渡航者のパスポート情報および渡航者が有する銀行口座の口座情報を受信すると、受信したパスポート情報および口座情報を記憶装置に記憶させる利用申請受付部と、渡航者が所定の地域に居ることを検知すると、所定の地域で預金の使用が可能な渡航者用の仮口座を開設する仮口座管理部と、記憶装置に記憶されている口座情報を基に、渡航者の銀行口座を管理する金融機関へ、渡航者の銀行口座から仮口座への送金を要求する送金要求処理部と、を備える。【選択図】図６
2018124833.tif 000002
【特許請求の範囲】
【請求項１】
所定の地域で口座の預金を使用可能な金融機関が用いる情報処理装置であって、
前記所定の地域へ渡航予定の渡航者のパスポート情報および前記渡航者が有する銀行口座の口座情報を受信すると、受信した前記パスポート情報および前記口座情報を記憶装置に記憶させる利用申請受付部と、
前記渡航者が前記所定の地域に居ることを検知すると、前記所定の地域で預金の使用が可能な前記渡航者用の仮口座を開設する仮口座管理部と、
前記記憶装置に記憶されている前記口座情報を基に、前記渡航者の銀行口座を管理する金融機関へ、前記渡航者の銀行口座から前記仮口座への送金を要求する送金要求処理部と、を備える、
情報処理装置。
【請求項２】
前記仮口座管理部は、前記所定の地域に設置されているパスポートの読取端末によって取得されたパスポート情報が、前記記憶装置に記憶されているパスポート情報と一致する場合に、前記仮口座を開設する、
請求項１に記載の情報処理装置。
【請求項３】
前記利用申請受付部は、前記パスポート情報および前記口座情報の他に、前記所定の地域に滞在する滞在予定日の情報を更に受信して前記記憶装置に記憶させ、
前記仮口座管理部は、前記滞在予定日になると前記仮口座を開設する、
請求項１または２に記載の情報処理装置。
【請求項４】
前記仮口座管理部は、前記滞在予定日を過ぎると前記仮口座を閉鎖する、
請求項３に記載の情報処理装置。
【請求項５】
前記利用申請受付部は、前記パスポート情報および前記口座情報の他に、前記渡航者が携帯する通信端末の識別情報を更に受信して前記記憶装置に記憶させ、
前記仮口座管理部は、前記所定の地域に設置されている通信機器によって取得された通信端末の識別情報が、前記記憶装置に記憶されている識別情報と一致する場合に、前記仮口座を開設する、
請求項１から４の何れか一項に記載の情報処理装置。
【請求項６】
前記仮口座管理部は、前記仮口座の開設後、前記所定の地域以外の国に設置されている通信機器によって取得された通信端末の識別情報が、前記記憶装置に記憶されている識別情報と一致する場合に、前記仮口座を閉鎖する、
請求項５に記載の情報処理装置。
【請求項７】
前記仮口座管理部は、前記仮口座の開設後、前記渡航者に関する情報を所定の端末から受信すると、前記仮口座の取引に用いる情報記録媒体へ記録する記録情報を前記所定の端末へ送信する、
請求項１から６の何れか一項に記載の情報処理装置。
【請求項８】
前記利用申請受付部は、前記パスポート情報および前記口座情報の他に、前記渡航者の生体情報を更に受信して前記記憶装置に記憶させ、
前記仮口座管理部は、口座の預金を使用する取扱装置において取得された生体情報が、前記記憶装置に記憶されている生体情報と一致する場合に、前記仮口座の預金を使用する処理を行う、
請求項１から７の何れか一項に記載の情報処理装置。
【請求項９】
所定の地域で口座の預金を使用可能な金融機関が用いる情報処理装置で実行される情報処理方法であって、
前記所定の地域へ渡航予定の渡航者のパスポート情報および前記渡航者が有する銀行口座の口座情報を受信すると、受信した前記パスポート情報および前記口座情報を記憶装置に記憶させる利用申請受付処理と、
前記渡航者が前記所定の地域に居ることを検知すると、前記所定の地域で預金の使用が可能な前記渡航者用の仮口座を開設する仮口座管理処理と、
前記記憶装置に記憶されている前記口座情報を基に、前記渡航者の銀行口座を管理する金融機関へ、前記渡航者の銀行口座から前記仮口座への送金を要求する送金処理と、を備える、
情報処理方法。
【請求項１０】
所定の地域で口座の預金を使用可能な金融機関が用いる情報処理装置に、
前記所定の地域へ渡航予定の渡航者のパスポート情報および前記渡航者が有する銀行口座の口座情報を受信すると、受信した前記パスポート情報および前記口座情報を記憶装置に記憶させる利用申請受付処理と、
前記渡航者が前記所定の地域に居ることを検知すると、前記所定の地域で預金の使用が可能な前記渡航者用の仮口座を開設する仮口座管理処理と、
前記記憶装置に記憶されている前記口座情報を基に、前記渡航者の銀行口座を管理する金融機関へ、前記渡航者の銀行口座から前記仮口座への送金を要求する送金処理と、を実行させる、
情報処理プログラム。
【発明の詳細な説明】
【技術分野】
【０００１】
本願は、情報処理装置、情報処理方法及び情報処理プログラムに関する。
【背景技術】
【０００２】
銀行では、口座開設や取引に際し、様々な方法で本人確認が行われている（例えば、特許文献１−４を参照）。
【先行技術文献】
【特許文献】
【０００３】
【特許文献１】特開２００２−３１２５７９号公報
【特許文献２】特開２００６−２５１９４４号公報
【特許文献３】特開２００２−３５２２９９号公報
【特許文献４】特開２００３−１２２９２２号公報
【発明の概要】
【発明が解決しようとする課題】
【０００４】
日本へ渡航する訪日外国人は、日本への渡航に際し、例えば、滞在中に使う日本円を現金で用意したり、或いは、国際キャッシュカードといった渡航先の日本で使用可能な国際的なカードを用意したりする。しかし、滞在中に使う金額は少額でないことが多いため、カードを使わない場合は多額の現金を渡航先で持ち歩くことになる。また、訪日外国人が母国で日常的に利用している銀行が、渡航先の日本で使用可能な国際的なカードを取り扱っていない場合や、取り扱っていてもカード発行に長時間を要する場合があるため、訪日外国人がカードの利用を不便に感じる場合がある。
【０００５】
そこで、本願は、店舗が国内にある金融機関の口座を、外国から来訪する外国人が容易に利用可能にする技術を提供することを課題とする。
【課題を解決するための手段】
【０００６】
上記課題を解決するため、本発明では、渡航者に予めパスポート情報と銀行口座の情報を要求しておき、渡航者が渡航したことを検知すると、渡航国で預金の使用が可能な渡航者用の仮口座を開設し、当該仮口座に渡航者の銀行口座から送金されるようにした。
【０００７】
詳細には、本発明は、所定の地域で口座の預金が使用可能な金融機関が用いる情報処理装置であって、所定の地域へ渡航予定の渡航者のパスポート情報および渡航者が有する銀行口座の口座情報を受信すると、受信したパスポート情報および口座情報を記憶装置に記憶させる利用申請受付部と、渡航者が所定の地域に居ることを検知すると、所定の地域で預金が使用可能な渡航者用の仮口座を開設する仮口座管理部と、記憶装置に記憶されている口座情報を基に、渡航者の銀行口座を管理する金融機関へ、渡航者の銀行口座から仮口座への送金を要求する送金要求処理部と、を備える。
【０００８】
ここで、所定の地域とは、渡航先として地理的に把握できる地球上の特定の領域をいい、例えば、特定の国、特定の州、特定の特区、複数の国が集まった連邦が挙げられる。上記情報処理装置であれば、渡航者が所定の地域へ渡航すると、渡航者が有する銀行口座が送金元の口座として紐づけられた仮口座が自動的に開設されるので、渡航先である所定の地域において当該仮口座の預金の使用が可能となる。
【０００９】
なお、仮口座管理部は、所定の地域に設置されているパスポートの読取端末によって取
得されたパスポート情報が、記憶装置に記憶されているパスポート情報と一致する場合に、仮口座を開設するものであってもよい。仮口座がこのようにして開設されれば、仮口座がパスポートの確認を経て開設されることになるので、身元が明らかでない渡航者の仮口座が開設される可能性が抑制され、また、渡航者にとってはパスポートの情報を読取端末に読み取らせるだけで仮口座を取得できて便利である。
【００１０】
また、利用申請受付部は、パスポート情報および口座情報の他に、所定の地域に滞在する滞在予定日の情報を更に受信して記憶装置に記憶させ、仮口座管理部は、滞在予定日になると仮口座を開設するものであってもよい。仮口座がこのようにして開設されれば、渡航者が所定の地域に居ることを示す明確な情報が得られない場合であっても、滞在予定日という間接的な情報を基に、渡航者が所定の地域に居ることを検知することができる。
【００１１】
また、仮口座管理部は、滞在予定日を過ぎると仮口座を閉鎖するものであってもよい。仮口座がこのようにして閉鎖されれば、渡航者が所定の地域から出たことを示す明確な情報が得られない場合であっても、利用を終えた仮口座を漏れなく閉鎖することができる。
【００１２】
また、利用申請受付部は、パスポート情報および口座情報の他に、渡航者が携帯する通信端末の識別情報を更に受信して記憶装置に記憶させ、仮口座管理部は、所定の地域に設置されている通信機器によって取得された通信端末の識別情報が、記憶装置に記憶されている識別情報と一致する場合に、仮口座を開設するものであってもよい。仮口座がこのようにして開設されれば、渡航者は所定の地域で何らの手続を行わなくても仮口座を得ることができる。
【００１３】
また、仮口座管理部は、仮口座の開設後、所定の地域以外の国に設置されている通信機器によって取得された通信端末の識別情報が、記憶装置に記憶されている識別情報と一致する場合に、仮口座を閉鎖するものであってもよい。仮口座がこのようにして閉鎖されれば、利用を終えた仮口座を漏れなく閉鎖することができる。
【００１４】
また、仮口座管理部は、仮口座の開設後、渡航者に関する情報を所定の端末から受信すると、仮口座の取引に用いる情報記録媒体へ記録する記録情報を所定の端末へ送信するものであってもよい。
【００１５】
ここで、記録情報とは、仮口座の取引に用いる情報記録媒体へ記録される情報であり、例えば、情報記録媒体が磁気カードであれば磁気ストライプに書き込まれる仮口座の情報であり、情報記録媒体がＩＣカードであればＩＣチップに書き込まれる仮口座の情報であり、情報記録媒体が携帯端末の記憶装置であれば当該記憶装置に書き込まれる仮口座の情報である。また、所定の端末とは、渡航者が利用する端末であり、例えば、銀行の店舗に設置されている端末、渡航者が所有する携帯端末、その他の各種端末が挙げられる。
【００１６】
記録情報がこのように所定の端末へ送信されれば、渡航者が用いるカードあるいは携帯端末に当該記録情報を書き込み可能となるため、渡航者が仮口座の預金を使用する際の手続で当該記録情報を用いること可能となる。
【００１７】
また、利用申請受付部は、パスポート情報および口座情報の他に、渡航者の生体情報を更に受信して記憶装置に記憶させ、仮口座管理部は、口座の預金を使用する取扱装置において取得された生体情報が、記憶装置に記憶されている生体情報と一致する場合に、仮口座の預金を使用する処理を行うものであってもよい。生体情報がこのように利用されれば、渡航者が仮口座の預金を使用する際の認証が容易になる。
【００１８】
ところで、本発明は、上記情報処理装置の発明を情報処理方法及び情報処理プログラム
の側面から捉えたものであってもよい。
【発明の効果】
【００１９】
上記情報処理装置、情報処理方法及び情報処理プログラムであれば、店舗が国内にある金融機関の口座を、外国から来訪する外国人が容易に利用可能になる。
【図面の簡単な説明】
【００２０】
【図１】図１は、実施形態に係る情報処理システムの構成図の一例である。
【図２】図２は、銀行サーバがコンピュータプログラムを実行することにより形成される各種機能部を示した機能ブロック図の一例である。
【図３】図３は、ＡＴＭがコンピュータプログラムを実行することにより形成される各種機能部を示した機能ブロック図の一例である。
【図４】図４は、銀行サーバが実行する処理フローの一例を示した図である。
【図５】図５は、ＡＴＭが実行する処理フローの一例を示した図である。
【図６】図６は、情報処理システムで実現可能な処理フローの第１例を示した図である。
【図７】図７は、データベースへ登録される利用申請のデータの第１例である。
【図８】図８は、情報処理システムで実現可能な処理フローの第２例を示した図である。
【図９】図９は、データベースへ登録される利用申請のデータの第２例である。
【図１０】図１０は、情報処理システムで実現可能な処理フローの第３例を示した図である。
【図１１】図１１は、情報処理システムで実現可能な処理フローの第４例を示した図である。
【発明を実施するための形態】
【００２１】
以下、実施形態について説明する。以下に示す実施形態は、単なる例示であり、本開示の技術的範囲を以下の態様に限定するものではない。
【００２２】
図１は、実施形態に係る情報処理システムの構成図の一例である。実施形態に係る情報処理システム１は、図１に示すように、公衆のインターネット網２を介して相互に通信可能な端末３、利用者が居住する母国にある銀行の銀行サーバ４、利用者が居住する母国で携帯電話サービス事業を展開する通信会社の通信機器５、利用者が渡航する渡航国にある銀行の銀行サーバ６、銀行サーバ６に繋がるデータベース７およびＡＴＭ（Automated Teller Machine）８、渡航国で携帯電話サービス事業を展開する通信会社の通信機器９を備える。端末３は、インターネット網２を介して銀行サーバ６にアクセス可能なコンピュータ端末であり、例えば、個人が所有する私用のコンピュータ、旅行会社や銀行が所有する受付窓口用のコンピュータ、ＡＴＭ、その他のあらゆるコンピュータを例示できる。また、銀行サーバ４は、利用者の母国に所在する銀行のコンピュータであり、例えば、勘定系システム等の各種コンピュータを例示できる。また、通信機器５と通信機器９は、利用者が所有する携帯電話を電話回線に無線で接続するための無線基地局や電話交換機であり、例えば、各携帯電話に割り当てられている識別情報を使った無線通信処理を司る。また、銀行サーバ６は、利用者が渡航する渡航国に所在する銀行のコンピュータであり、例えば、勘定系システム等の各種コンピュータを例示できる。データベース７は、銀行サーバ６に接続される記憶装置であり、銀行サーバ６で取り扱う各種情報が格納される。ＡＴＭ８は、銀行サーバ６に接続される装置であり、銀行サーバ６が管理する銀行口座から現金を払い出す処理やカード発行、パスポート情報の読み取りといった各種処理を司る。なお、図１では、ＡＴＭ８が渡航国内に１台しか図示されていないが、ＡＴＭ８は、渡航国内の各所に設置されている。
【００２３】
端末３や銀行サーバ４、銀行サーバ６、ＡＴＭ８は、何れもＣＰＵ（Central Processing Unit）やＲＡＭ（Random Access Memory）、ＲＯＭ（Read Only Memory）、通信Ｉ／
Ｆ（Interface）、ハードディスク等の記憶装置を備える。また、ＡＴＭ８には、情報を
画面表示する表示装置、情報の入力を受け付ける入力装置、現金を出し入れする現金出し入れ機、磁気カードやＩＣカードの読み取り機、パスポートに埋め込まれているＩＣや券面を読み取る読み取り機が備わっている。
【００２４】
情報処理システム１は、銀行サーバ６がその他の装置と協働することにより、渡航者が渡航国の滞在中に利用できる渡航者用の銀行口座（以下、「仮口座」という）を開設し、渡航国内にあるＡＴＭ８で当該仮口座から現金の引き出し等の渡航者向けサービスを実現する。
【００２５】
図２は、銀行サーバ６がコンピュータプログラムを実行することにより形成される各種機能部を示した機能ブロック図の一例である。銀行サーバ６は、コンピュータプログラムを実行し、利用申請受付部６１、仮口座管理部６２、送金要求処理部６３を等の各種機能部を形成する。利用申請受付部６１は、インターネット網２経由で端末３から送信される上記サービスの利用申請を受け付ける処理を主に司る。仮口座管理部６２は、当該利用申請を受けて仮口座を開設し、当該仮口座の入出金処理や閉鎖処理を主に司る。送金要求処理部６３は、当該仮口座を利用する渡航者が有している母国の銀行に対し、当該渡航者の口座からの送金を要求する処理を主に司る。なお、銀行サーバ６が形成するこれらの機能部の一部は、例えば、渡航者の母国にある銀行サーバ４で形成されてもよい。例えば、利用申請受付部６１は、渡航者の母国にある銀行サーバ４で形成されてもよい。この場合、利用申請受付部６１で受け付けられた情報は、渡航者の母国にある銀行サーバ４から渡航先の銀行サーバ６へ提供されることになる。
【００２６】
図３は、ＡＴＭ８がコンピュータプログラムを実行することにより形成される各種機能部を示した機能ブロック図の一例である。ＡＴＭ８は、コンピュータプログラムを実行し、パスポート処理部８１、カード発行処理部８２、現金処理部８３等の各種機能部を形成する。パスポート処理部８１は、読み取り機に翳されたパスポートからパスポート情報を読み取り、銀行サーバ６へ送信する処理を主に司る。カード発行処理部８２は、仮口座から現金を引き出す際に用いるカードを発行する処理を主に司る。現金処理部８３は、ＡＴＭ８を訪れた利用者による現金の出し入れ操作を受け付け、ＡＴＭ８の装置内外における現金の出し入れ処理を主に司る。
【００２７】
図４は、銀行サーバ６が実行する処理フローの一例を示した図である。銀行サーバ６は、コンピュータプログラムを実行することにより、銀行サーバ６の作動中、図４（Ａ），（Ｂ），（Ｃ）に示す各処理フローを並列で繰り返し実行する。図４（Ａ）の処理フローは、利用申請に係る処理フローである。また、図４（Ｂ）の処理フローは、仮口座を開設する処理のフローである。また、図４（Ｃ）の処理フローは、仮口座を閉鎖する処理のフローである。
【００２８】
図４（Ａ）に示す利用申請に係る処理フローにおいて、銀行サーバ６は、インターネット網２経由で端末３から上記サービスの利用申請が行われているか否かの判定を行う（ＳＢ１）。利用申請が行われているか否かは、例えば、端末３から送信される利用申請のページのウェブリクエストを銀行サーバ６が受信したか否かに基づいて判定することができる。銀行サーバ６は、ステップＳＢ１で肯定判定を行った場合、利用申請を受け付ける処理を行う（ＳＢ２）。利用申請の受付は、例えば、端末３から送信される利用申請のページのウェブリクエストを受信した銀行サーバ６が、利用申請の入力フォームを画面表示するためのウェブページのデータを端末３へ送り、当該入力フォームに入力されたデータが端末３から銀行サーバ６へ送られることにより実現される。銀行サーバ６が受け付ける利
用申請には、少なくともパスポート番号等のパスポート情報、及び利用者が有する銀行口座の口座情報が含まれる。銀行サーバ６は、利用申請を受け付けると、受け付けた利用申請のデータをデータベース７へ登録する（ＳＢ３）。例えば、利用申請がウェブページの入力フォームを用いて行われる場合、銀行サーバ６は、入力フォームに入力されたパスポート情報や口座情報をデータベース７へ登録する。そして、銀行サーバ６は、ステップＳＢ３の処理を実行した後、再びステップＳＢ１以降の処理を実行する。また、銀行サーバ６は、ステップＳＢ１で否定判定を行った場合、ステップＳＢ２およびステップＳＢ３の処理を省略し、再びステップＳＢ１以降の処理を実行する。
【００２９】
また、図４（Ｂ）に示す仮口座開設の処理フローにおいて、銀行サーバ６は、渡航者が渡航国へ入国したか否かの判定を行う（ＳＢ４）。渡航者が渡航国へ入国したことを検知する手段としては、例えば、渡航者がＡＴＭ８の読取装置にパスポートを翳すことによってＡＴＭ８から銀行サーバ６へ送られる情報、渡航者が保有する携帯電話の電波を通信機器９が受信することによって通信機器９から銀行サーバ６へ送られる情報、渡航者が渡航の際に利用する航空会社のコンピュータから銀行サーバ６へ送られる情報、渡航者が渡航国で入国審査を通過した際に入国審査の所管官庁（日本の場合は入国管理局）のコンピュータから銀行サーバ６へ送られる情報、その他、渡航者が渡航国へ渡航したことを示す各種の情報を基にした各種手段が挙げられる。
【００３０】
銀行サーバ６は、ステップＳＢ４で肯定判定を行った場合、渡航者用の仮口座を開設する（ＳＢ５）。仮口座の開設とは、具体的には、例えば、渡航者用に固有の仮口座番号を発番する処理や、仮口座の残高や出し入れ金額に関するデータを格納する記憶領域をデータベース７に用意する処理が挙げられる。銀行サーバ６は、仮口座を開設した後、データベース７のデータを基に、渡航者が母国に口座を有している銀行のコンピュータへ送金を要求する（ＳＢ６）。渡航者の母国にある銀行口座から仮口座への送金を要求する際の送金要求額は、上記サービスの利用申請の際に渡航者が適宜設定する額でもよいし、或いは、銀行サーバ６に予め設定された規定の額でもよい。また、銀行サーバ６は、渡航者が利用する機器に対し、仮口座に関する情報を通知する（ＳＢ７）。そして、銀行サーバ６は、ステップＳＢ７の処理を実行した後、再びステップＳＢ１以降の処理を実行する。また、銀行サーバ６は、ステップＳＢ４で否定判定を行った場合、ステップＳＢ５からステップＳＢ７までの一連の処理を省略し、再びステップＳＢ４以降の処理を実行する。
【００３１】
なお、ステップＳＢ６およびステップＳＢ７は、逆の順序で実行されてもよい。
【００３２】
また、図４（Ｃ）に示す仮口座閉鎖の処理フローにおいて、銀行サーバ６は、渡航者が渡航国から出国したか否かの判定を行う（ＳＢ８）。渡航者が渡航国から出国したことを検知する手段としては、例えば、渡航者が保有する携帯電話の電波を通信機器５が受信することによって通信機器５から銀行サーバ６へ送られる情報、渡航者が帰国の際に利用する航空会社のコンピュータから銀行サーバ６へ送られる情報、渡航者が母国で入国審査を通過した際に入国審査の所管官庁のコンピュータから銀行サーバ６へ送られる情報、その他、渡航者が母国へ帰国したことを示す各種の情報を基にした各種手段が挙げられる。
【００３３】
銀行サーバ６は、ステップＳＢ８で肯定判定を行った場合、データベース７のデータを照会し、仮口座に残っている残金のデータを取得する（ＳＢ９）。そして、銀行サーバ６は、当該仮口座から渡航者の母国の銀行口座へ仮口座の残金を送金する処理を実行する（ＳＢ１０）。銀行サーバ６は、仮口座からの送金が完了し、仮口座に残金が無いことを確認すると、当該仮口座を閉鎖する（ＳＢ１１）。また、銀行サーバ６は、ステップＳＢ８で否定判定を行った場合、ステップＳＢ９からステップＳＢ１１までの一連の処理を省略し、再びステップＳＢ８以降の処理を実行する。
【００３４】
銀行サーバ６が実行する処理フローについては以上の通りである。次にＡＴＭ８が実行する処理フローについて説明する。図５は、ＡＴＭ８が実行する処理フローの一例を示した図である。ＡＴＭ８は、コンピュータプログラムを実行することにより、ＡＴＭ８の作動中、図５に示す処理フローを繰り返し実行する。すなわち、ＡＴＭ８は、操作画面において現金の払い出し操作が要求されているか否かの判定を行う（ＳＭ１）。
【００３５】
ＡＴＭ８は、ステップＳＭ１で肯定判定を行った場合、利用者に対し、カードの挿入を促すメッセージを操作画面等で通知する（ＳＭ２）。そして、ＡＴＭ８は、カードが挿入されると、カードに記録されている情報を基に、パスワード等を用いた認証処理を経て、口座から現金を払い出す処理を行う（ＳＭ３）。そして、ＡＴＭ８は、ステップＳＭ３の処理を実行した後、再びステップＳＭ１以降の処理を実行する。
【００３６】
また、ＡＴＭ８は、ステップＳＭ１で否定判定を行った場合、仮口座の開設や閉鎖に関する操作ボタンを操作画面に表示し、利用者の操作を待つ。そして、ＡＴＭ８は、仮口座を開設する操作が行われるか否かの判定を行う（ＳＭ４）。ＡＴＭ８は、利用者が仮口座の開設を希望する旨の操作を受け付けると、利用者に対し、パスポートを読み取り機に翳すように促すメッセージを操作画面等で通知し、パスポートに埋め込まれているＩＣまたは券面の情報を読み取り機で読み取る（ＳＭ５）。ＡＴＭ８は、ステップＳＭ５で読み取ったパスポートの情報を、仮口座開設の旨の情報と共に銀行サーバ６へ送信する（ＳＭ６）。なお、パスポートの券面はコピー或いは改竄される可能性もあるため、ＡＴＭ８は、パスポートの券面を光学的に読み取る場合、パスポートにＩＣが埋め込まれているか否かの確認も合わせて行うようにしてもよい。
【００３７】
ＡＴＭ８は、ステップＳＭ６でパスポートの情報を送信した銀行サーバ６からカード発行の指示の有無を確認する（ＳＭ７）。そして、ＡＴＭ８は、銀行サーバ６から受信したカード発行の指示を基に、仮口座を利用する際に用いるカードを発行する（ＳＭ８）。ＡＴＭ８は、カードの発行に際し、銀行サーバ６から受信した情報をカードに書き込んでもよいし、或いは、仮口座とカードの識別情報との対応関係が銀行サーバ６で管理できるよう、カードに元々書き込まれている識別情報を銀行サーバ６へ送信してもよい。そして、ＡＴＭ８は、ステップＳＭ８の処理を実行した後、再びステップＳＭ１以降の処理を実行する。なお、ＡＴＭ８は、カードを発行する代わりに、仮口座を利用する際に用いられる情報（仮口座識別子）を利用者所有のスマートフォンといった情報機器に格納したり、ＱＲコード（登録商標）等の光学的読取手段で読み取り可能な媒体を発行したりしてもよい。
【００３８】
また、ＡＴＭ８は、ステップＳＭ４で否定判定を行った場合、仮口座の閉鎖で間違いないか否かを確認するメッセージを操作画面に表示し、利用者の操作を待つ。そして、ＡＴＭ８は、仮口座を閉鎖する操作が行われるか否かの判定を行う（ＳＭ９）。ＡＴＭ８は、利用者が仮口座の閉鎖を希望する旨の操作を受け付けると、利用者に対し、パスポートを読み取り機に翳すように促すメッセージを操作画面等で通知し、パスポートに埋め込まれているＩＣまたは券面の情報を読み取り機で読み取る（ＳＭ１０）。そして、ＡＴＭ８は、ステップＳＭ１０で読み取ったパスポートの情報を、仮口座閉鎖の旨の情報と共に銀行サーバ６へ送信する（ＳＭ１１）。そして、ＡＴＭ８は、ステップＳＭ１１の処理を実行した後、再びステップＳＭ１以降の処理を実行する。
【００３９】
ＡＴＭ８が実行する処理フローについては以上の通りである。銀行サーバ６とＡＴＭ８が各々上記処理フローを繰り返し行うコンピュータプログラムを実行することにより、情報処理システム１では、例えば、以下に示すような一連の処理を実現することが可能となる。
【００４０】
図６は、情報処理システム１で実現可能な処理フローの第１例を示した図である。例えば、渡航国で仮口座の利用を希望する渡航者が端末３を操作し、銀行サーバ６のウェブページにアクセスして入力フォームにパスポート情報や送金元の口座の情報を入力することにより、利用申請を行うと（ＳＮ１）、銀行サーバ６がステップＳＢ１で肯定判定を行う。そして、銀行サーバ６がステップＳＢ２を実行することにより、利用申請の受付が行われる（ＳＮ２）。また、銀行サーバ６がステップＳＢ３を実行することにより、利用申請を行った渡航者のパスポート情報や銀行口座の情報がデータベース７へ登録される（ＳＮ３）。図７は、データベース７へ登録される利用申請のデータの第１例である。銀行サーバ６がステップＳＢ３を複数回実行することにより、例えば、図７に示されるように、様々な渡航者のパスポート情報や母国の銀行口座の情報がデータベース７に蓄積される。なお、例えば、利用申請受付部６１が銀行サーバ４で形成される場合、ＳＮ２の処理は渡航者の母国にある銀行サーバ４で行われることになる。
【００４１】
次に、渡航国へ移動した渡航者が、例えば、ＡＴＭ８を操作してパスポートを提示すると（ＳＮ４）、ＡＴＭ８でステップＳＭ５が実行され、パスポートの情報がＡＴＭ８に取得される（ＳＮ５）。そして、ＡＴＭ８でステップＳＭ６が実行されてパスポートの情報が銀行サーバ６へ送信されると、銀行サーバ６では受信したパスポート情報を基にデータベース７のデータの照会が行われ、渡航者が渡航国に入国した旨の判定がステップＳＢ４にて行われる（ＳＮ６）。そして、銀行サーバ６がステップＳＢ５を実行することにより仮口座が開設され（ＳＮ７）、ステップＳＢ６を実行することにより銀行サーバ４への送金要求が行われる（ＳＮ８）。銀行サーバ６から送金要求を送られた銀行サーバ４では送金要求の受け付け処理が行われ（ＳＮ９）、渡航者の銀行口座から仮口座への送金処理が実行される（ＳＮ１０）。また、銀行サーバ６がステップＳＢ７を実行することにより、ＡＴＭ８に対する仮口座の情報の通知が行われる（ＳＮ１１）。銀行サーバ６から仮口座の情報を受けたＡＴＭ８では、ステップＳＭ７で肯定判定が行われてステップＳＭ８の処理が実行され、仮口座用のカードが発行される（ＳＮ１２）。渡航者は、ＡＴＭ８が発行したカードを受領する（ＳＮ１３）。なお、例えば、利用申請受付部６１が銀行サーバ４で形成される場合、ＳＮ６の処理は渡航者の母国にある銀行サーバ４で行われるようにしてもよい。この場合、判定結果は銀行サーバ４から銀行サーバ６へ送られることになる。
【００４２】
渡航者は、ＡＴＭ８が発行したカードを渡航国内の各所にあるＡＴＭ８で使用することができる。例えば、渡航者は、仮口座から現金を引き出したい場合、近隣にあるＡＴＭ８に立ち寄り、ＡＴＭ８で現金の払い出し操作を行う。すると、ＡＴＭ８ではステップＳＭ１の処理で肯定判定が行われ、ＡＴＭ８がカードの挿入を促す。渡航者は、ＡＴＭ８にカードを挿入して適宜の操作を行うことにより、ＡＴＭ８でステップＳＭ３が実行され、仮口座の現金が払い出される。
【００４３】
図８は、情報処理システム１で実現可能な処理フローの第２例を示した図である。上記の第１例では、渡航者がＡＴＭ８を操作すると仮口座が開設される形態であった。一方、本第２例では、渡航者が携帯する携帯電話等の通信端末が渡航国内にあることを検知すると仮口座が開設される形態である。よって、以下に説明する第２例の説明において、上記第１例と同じ内容については図８で同一の符号を付し、その説明を省略する。
【００４４】
例えば、渡航国で仮口座の利用を希望する渡航者が端末３を操作し、銀行サーバ６のウェブページにアクセスして入力フォームにパスポート情報や送金元の口座の情報、携帯端末等の通信機器の識別情報を入力したり、或いは近距離無線通信等の通信手段経由で携帯端末等の通信機器の識別情報が自動入力されることにより、利用申請を行うと（ＳＮ１ａ）、銀行サーバ６がステップＳＢ１で肯定判定を行う。そして、利用申請の受付（ＳＮ２）やデータベース７への情報の登録（ＳＮ３）が行われる。図９は、データベース７へ登録される利用申請のデータの第２例である。銀行サーバ６がステップＳＢ３を複数回実行
することにより、例えば、図９に示されるように、様々な渡航者のパスポート情報や母国の銀行口座の情報、携帯電話等の通信端末の識別情報がデータベース７に蓄積される。
【００４５】
次に、渡航国へ移動した渡航者が、例えば、渡航国内で通信端末の電源をオンにすると（ＳＮ４ａ）、当該通信端末の電波を受信した通信機器９から銀行サーバ６へ通信端末の識別情報が通知され（ＳＮ５ａ）、銀行サーバ６が実行するステップＳＢ４で肯定判定が行われる（ＳＮ６）。そして、銀行サーバ６では仮口座が開設され（ＳＮ７）、送金要求が行われる（ＳＮ８）。また、銀行サーバ４では送金要求の受け付け処理が行われ（ＳＮ９）、仮口座への送金処理が実行される（ＳＮ１０）。また、銀行サーバ６がステップＳＢ７を実行することにより、通信機器９経由で渡航者の通信端末に対する仮口座の情報の通知が行われる（ＳＮ１１）。銀行サーバ６から仮口座の情報を受けた通信機器９では情報の中継が行われる（ＳＮ１２ａ）。通信機器９経由で銀行サーバ６から仮口座の情報を受けた通信端末には、仮口座を利用する際に用いることができる仮口座の情報（例えば、近距離無線通信用の認証情報が挙げられる）が記録される（ＳＮ１３ａ）。
【００４６】
渡航者は、仮口座の情報が記録された通信端末を、渡航国内の各所にあるＡＴＭ８で使用することができる。例えば、渡航者は、仮口座から現金を引き出したい場合、近隣にあるＡＴＭ８に立ち寄り、ＡＴＭ８で通信端末を現金の払い出し手続きに用いることにより、現金の払い出し操作を行うことができる。
【００４７】
図１０は、情報処理システム１で実現可能な処理フローの第３例を示した図である。渡航者が渡航国から母国へ帰国する場合、渡航国から母国へ帰国した渡航者が、例えば、母国内で通信端末の電源をオンにすると（ＳＳ１）、当該通信端末の電波を受信した通信機器５から銀行サーバ６へ通信端末の識別情報が通知され（ＳＳ２）、銀行サーバ６が実行するステップＳＢ８で肯定判定が行われる（ＳＳ３）。そして、銀行サーバ６ではステップＳＢ１０が実行され、仮口座の残金を母国の銀行口座へ送金する処理が行われる（ＳＳ４）。銀行サーバ６から送金データを受けた銀行サーバ４では渡航者の銀行口座へ入金する処理が行われる（ＳＳ５）。また、銀行サーバ６ではステップＳＢ１１が実行され、仮口座が閉鎖される（ＳＳ６）。
【００４８】
渡航者は、母国に帰国して通信端末の電源をオンにするだけで、渡航国で利用していた仮口座の残金を母国の口座で受け取ることが可能となり、また、渡航国で利用していた仮口座の閉鎖も完了することができる。
【００４９】
図１１は、情報処理システム１で実現可能な処理フローの第４例を示した図である。上記の第３例では、渡航者が母国に帰国して通信端末の電源をオンにすると仮口座が閉鎖される形態であった。一方、本第４例では、渡航者がＡＴＭ８を操作すると仮口座が閉鎖される形態である。よって、以下に説明する第４例の説明において、上記第３例と同じ内容については図１１で同一の符号を付し、その説明を省略する。
【００５０】
渡航者が渡航国から母国へ帰国する場合、帰国前の渡航者が、例えば、ＡＴＭ８を操作してパスポートを提示すると（ＳＳ１ａ）、ＡＴＭ８でステップＳＭ１０が実行され、パスポートの情報がＡＴＭ８に取得される（ＳＳ２ａ）。そして、ＡＴＭ８でステップＳＭ１１が実行されてパスポートの情報が銀行サーバ６へ送信されると、銀行サーバ６が実行するステップＳＢ８で肯定判定が行われる（ＳＳ３）。そして、銀行サーバ６では仮口座の残金を母国の銀行口座へ送金する処理が行われ（ＳＳ４）、銀行サーバ４では渡航者の銀行口座へ入金する処理が行われる（ＳＳ５）。また、銀行サーバ６では仮口座を閉鎖する処理が行われる（ＳＳ６）。
【００５１】
渡航者は、通信端末を有していなくてもＡＴＭ８を操作すれば、渡航国で利用していた
仮口座の残金を母国の口座で受け取ることが可能となり、また、渡航国で利用していた仮口座の閉鎖も完了することができる。
【００５２】
なお、上記実施形態や変形例では、渡航者が渡航国へ移動したことをＡＴＭ８や通信機器９で検知すると仮口座が開設されていたが、銀行サーバ６は、例えば、渡航国に滞在する滞在予定日に関する情報を端末３から申請受付時に取得し、当該滞在予定日になると仮口座を開設してもよい。また、銀行サーバ６は、例えば、当該滞在予定日や査証の有効期限を過ぎると仮口座を自動的に閉鎖してもよい。
【００５３】
また、上記実施形態や変形例では、渡航者が渡航国へ移動したことを通信機器９で検知していたが、携帯電話のような無線通信機器に代えて、例えば、渡航者が所有する有線の通信端末で渡航国への移動を検知したり、或いは、渡航者が所有する携帯端末に設けられているＧＰＳ（Global Positioning System）機能の位置情報を基に渡航国への移動を検
知したりしてもよい。
【００５４】
また、上記実施形態や変形例では、仮口座から現金を引き出す際のパスワード入力といった認証処理について詳述されていないが、仮口座から現金を引き出す際に行われる認証処理は、渡航者が上記サービスの利用申請を行う際に端末３から銀行サーバ６へ送られる情報の中に、例えば、渡航者自らが作成したパスワードの情報が含まれ、或いは、渡航者の生体情報（例えば、静脈認証用あるいは顔認証用の情報等）が含まれるようにしておき、ＡＴＭ８で仮口座から現金を引き出す際の認証処理において、パスワードの情報や生体情報をＡＴＭ８が銀行サーバ６に照会するようにしてもよい。
【００５５】
また、上記実施形態や変形例では、仮口座を閉鎖する際、仮口座の残金を渡航者の銀行口座へ送金していたが、仮口座の残金は、例えば、航空会社が提供するマイレージサービスのマイル、電子マネーのバリュー、或いは次の渡航先の国や母国で流通している通貨へ交換されてもよい。
【００５６】
また、上記実施形態や変形例では、仮口座の預金の利用形態について詳述されていないが、仮口座のカードを渡航国内の買い物等の決済に用いる場合には、当該仮口座に対応付けされているパスポート情報を基にした免税処理等が、仮口座を管理する銀行で自動的に行われるようにしてもよい。
【００５７】
また、上記実施形態や変形例では、仮口座から現金を引き出す形態について記載されていたが、仮口座の預金は、現金に代えて、例えば、仮口座から直接決済される形態（例えば、デビットカード等）で使用されてもよい。
【符号の説明】
【００５８】
１・・情報処理システム：２・・インターネット網：３・・端末：４・・銀行サーバ：５，９・・通信機器：６・・銀行サーバ：７・・データベース：８・・ＡＴＭ：６１・・利用申請受付部：６２・・仮口座管理部６２：送金要求処理部：８１・・パスポート処理部：８２・・カード発行処理部：８３・・現金処理部
【図１】
2018124833.tif 000003
【図２】
2018124833.tif 000004
【図３】
2018124833.tif 000005
【図４】
2018124833.tif 000006
【図５】
2018124833.tif 000007
【図６】
2018124833.tif 000008
【図７】
2018124833.tif 000009
【図８】
2018124833.tif 000010
【図９】
2018124833.tif 000011
【図１０】
2018124833.tif 000012
【図１１】
2018124833.tif 000013